(57)【要約】  【課題】  構造の簡易化と部品点数の削減及び簡易な工程による組立を可能とする。  【解決手段】  ベースプレート２のキートップ搭載領域６に所定の高さ位置に互いに軸線を一致させて一体に形成された水平方向の支軸部９，１０を一体に形成した支軸片部７，８を形成し、互いに軸線を一致させかつ下縁部に開口してそれぞれ形成された略半円形の軸孔２０を有する軸受け片部１８，１９を一体に形成したキートップ部材５が、軸孔２０に支軸部９，１０が嵌合することによりベースプレート２に直接組み付けられる。【選択図】  図２
2005071779.tif 000002
【特許請求の範囲】
【請求項１】
合成樹脂材によって一体に成形され、複数のキートップ搭載領域と、各キートップ搭載領域内にそれぞれ所定の対向間隔を以って平行に対峙して一体に立設された少なくとも一対の支軸片部と、これら支軸片部にそれぞれ主面から所定の高さ位置に互いに軸線を一致させて一体に形成された水平方向の支軸部とを有するベースプレートと、
絶縁弾性材によって成形され、前記ベースプレートの主面上に積層状態で組み合わされるとともに前記各キートップ搭載領域に対応してクリックドームが一体に膨出形成されたクリックラバーシートと、
前記ベースプレートの主面上に前記クリックラバーシートとの間に介在して積層され、前記各クリックドームに対応してスイッチ部が設けられたメンブレンシートと、
合成樹脂材によって一体に成形され、前記キートップ搭載領域を被覆するに足る外形形状を有し前記クリックラバーシートのクリックドームと相対する操作部と、この操作部の底面に前記ベースプレート側の前記各支軸片部にそれぞれ対向して一体に形成された軸受け片部と、これら軸受け片部に互いに軸線を一致させかつ下縁部に開口してそれぞれ形成された略半円形の軸孔とを有するキートップ部材とを備え、
前記各キートップ部材が前記ベースプレートのキートップ搭載領域に対して、前記軸受け片部を相対する前記支軸片部に対向位置させて前記軸孔に前記支軸部が相対係合されることにより、それぞれ組み付けられることを特徴とするキースイッチ装置。
【請求項２】
前記ベースプレートが前記各支軸片部を前記各キートップ搭載領域の一側部寄りの位置に一体に立設するとともに、その主面上に前記各クリックドームを前記各支軸片部の非立設位置に対向するようにして前記クリックラバーシートを積層してなり、
前記各キートップ部材が、前記軸孔を前記支軸部に相対係合することにより、前記操作部の底面に前記クリックドームを対向させて前記ベースプレートに片持ち状態で支持されることを特徴とする請求項１に記載のキースイッチ装置。
【請求項３】
前記クリックラバーシートの前記各クリックドームが天井部を有する略円筒形に形成され、これらクリックドームの天井部と相対する前記各キートップ部材の操作部の底面とが接合されることを特徴とする請求項１又は請求項２に記載のキースイッチ装置。
【請求項４】
前記各キートップ部材に形成された前記軸受け片部が、前記ベースプレートに形成した前記支軸片部の厚みとほぼ等しい間隔を以って対向するとともにそれぞれ前記支軸部が嵌合する互いに軸線を一致された軸孔を有する一対の立壁部から構成されることを特徴とする請求項１乃至請求項３のいずれか１項に記載のキースイッチ装置。
【発明の詳細な説明】
【技術分野】
【０００１】
本発明は、パーソナルコンピュータ等の入力装置として用いられるキーボード装置等に好適に備えられ、所定の順序に配列された多数個のスイッチをそれぞれに対向して設けたキートップ部材を押下操作することによって作動してスイッチングを行うキースイッチ装置に関する。
【背景技術】
【０００２】
パーソナルコンピュータシステムは、一般にＣＰＵ（CentralProcessing Unit：中央処理装置）や電源、記憶装置等を内蔵したコンピュータ本体と、所定の情報を画面表示するＣＲＴ（cathode-ray tube）や液晶パネル等のディスプレイモニタと、文字や数字或いは各種の機能情報等を入力するためのキーボード装置とによってシステム構成が図られる。キーボード装置は、薄厚で前下がりの矩形筐体の主面にそれぞれ操作部を露出させて文字キー、数字キー或いは機能キー等の多数個のキートップ部材が所定の順序に配列されてなるキースイッチ装置によって構成される。
【０００３】
従来のキースイッチ装置１００は、図４乃至図６に示すように、金属板によって形成され図示しない筐体内に組み付けられたベースプレート１０１と、このベースプレート１０１の主面上に積層状態に組み付けられたクリックラバーシート１０２と、多数個のキートップ部材１０３とを備えている。キースイッチ装置１００には、ベースプレート１０１の主面上に所定の配列順序を以ってそれぞれ矩形領域からなる多数のキートップ搭載領域１０４が区割り形成されている。
【０００４】
キースイッチ装置１００は、詳細を省略するが各キートップ搭載領域１０４に対応してそれぞれスイッチ部が形成されてベースプレート１０１の主面上に積層状態に組み合わされるメンブレンシート１０５を備えている。キースイッチ装置１００は、ベースプレート１０１の各キートップ搭載領域１０４にそれぞれ一体に形成された支持片部１０６、１０７に支持される多数のスタビライザ部材１０８を備えている。各支持片部１０６、１０７は、図４に示すようにキートップ搭載領域１０４内において、一方の長手方向の側縁側に位置しかつ幅方向の側縁と平行にベースプレート１０１から一体に立ち上がり形成され、互いに平行に対峙する立壁片部からなる。各支持片部１０６、１０７には、互いに軸線を一致させて軸孔が形成されている。
【０００５】
クリックラバーシート１０２は、絶縁弾性材によって成形され、図５及び図６に示すようにベースプレート１０１の各キートップ搭載領域１０４に対応してそれぞれ略ドーム形状を呈するクリックドーム１０９が一体に膨出形成されている。各クリックドーム１０９は、ベースプレート１０１に積層されたメンブレンシート１０５の各スイッチ部にそれぞれ対向位置して形成されている。各クリックドーム１０９は、クリックラバーシート１０２がベースプレート１０１に組み合わされた状態において、各キートップ搭載領域１０４に対して、やや各支持片部１０６、１０７が形成された部位と対向する長手方向の側縁側に位置する。
【０００６】
各キートップ部材１０３は、合成樹脂材によって成形され、ベースプレート１０１の各キートップ搭載領域１０４をそれぞれ被覆するに足る外形寸法を有する矩形形状の操作部１１０と、この操作部１１０の外周縁に沿って全周に亘って一体に垂設された外周壁部１１１からなる。キートップ部材１０３は、キーボード装置１に組み合わされた状態においてユーザと対向する側に位置する第１の長手方向の外周壁部１１１ａが、相対する第２の長手方向の外周壁部１１１ｂに対してその高さが大きく形成されている。
【０００７】
キートップ部材１０３には、詳細を省略するが操作部１１０の主面１１０ａに文字、数字或いは機能マーク等が適宜設けられている。キートップ部材１０３には、図５に示すように操作部１１０の底面部１１０ｂに、第１の長手方向の外周壁部１１１ａ側に位置しかつ幅方向の相対する外周壁部１１１ｃ、１１１ｄとそれぞれ平行に対峙する一対の支持壁部１１２、１１３が一体に垂設されている。
【０００８】
キートップ部材１０３には、操作部１１０の底面部１１０ｂに、支持壁部１１２、１１３に対して第２の長手方向の外周壁部１１１ｂ寄りに位置してスイッチ作動部１１４が一体に垂設されている。キートップ部材１０３には、操作部１１０の底面部１１０ｂに、外周壁部１１１ｂ側に位置しかつ幅方向の外周壁部１１１ｃ、１１１ｄとそれぞれ平行に対峙する一対のガイド壁部１１５、１１６が一体に垂設されている。
【０００９】
支持壁部１１２、１１３は、長手方向に離間して互いに平行に対峙し、図４及び図５に示すようにそれぞれに下端部に開口する軸孔１１２ａ、１１３ａが形成されている。各軸孔１１２ａ、１１３ａは、互いに軸線を一致されて形成されている。スイッチ作動部１１４は、その高さが第１の長手方向の外周壁部１１１ａよりも小さくかつ第２の長手方向の外周壁部１１１ｂよりも大きな円筒形に形成されている。ガイド壁部１１５、１１６は、長手方向に離間して互いに平行に対峙し、それぞれに下端部に開口する軸孔１１５ａ、１１６ａが形成されている。各軸孔１１５ａ、１１６ａは、互いに軸線を一致されて形成されている。
【００１０】
スタビライザ部材１０８は、上述した軸孔１１２ａ、１１３ａや軸孔１１５ａ、１１６ａの孔径とほぼ等しい外径を有する金属丸棒材によって形成される。スタビライザ部材１０８は、図４に示すようにキートップ部材１０３の外周壁部１１１に囲まれた内部空間に沿って折曲された略矩形枠体を基本形状とし、その一部を破断してなる。スタビライザ部材１０８は、破断部によって構成された互いに対向する短軸部位１０８ａ、１０８ｂが支点部を構成する。
【００１１】
キースイッチ装置１００は、ベースプレート１０１の主面上にメンブレンシート１０５が位置決めされて積層状態に組み合わされるとともに、このメンブレンシート１０５を挟み込むようにしてベースプレート１０１の主面上にクリックラバーシート１０２が位置決めされて積層状態に組み合わされる。キースイッチ装置１００は、各キートップ搭載領域１０４にそれぞれスタビライザ部材１０８が組み付けられる。スタビライザ部材１０８は、短軸部位１０８ａ、１０８ｂを支持片部１０６、１０７側に位置させ、これらを押し広げて支持片部１０６、１０７の外側からそれぞれの軸孔に嵌合させる。スタビライザ部材１０８は、これによって一端側を支持片部１０６、１０７に片持ち支持されてベースプレート１０１上に組み付けられる。
【００１２】
キースイッチ装置１００は、各キートップ部材１０３が各スタビライザ部材１０８を介してベースプレート１０１にそれぞれ組み付けられる。キートップ部材１０３は、支持壁部１１２、１１３をスタビライザ部材１０８の短軸部位１０８ａ、１０８ｂに対向させるとともにガイド壁部１１５、１１６を長軸部１０８ｃに対向させてこのスタビライザ部材１０８に組み合わされる。キートップ部材１０３は、上述したように支持壁部１１２、１１３の各軸孔１１２ａ、１１３ａとガイド壁部１１５、１１６の軸孔１１５ａ、１１６ａが下端部を開口した軸孔として構成されている。
【００１３】
したがって、キートップ部材１０３は、ベースプレート１０１側へと押し込むことにより、図４に示すように短軸部位１０８ａ、１０８ｂが支持壁部１１２、１１３の各軸孔１１２ａ、１１３ａに嵌合されるとともにガイド壁部１１５、１１６の軸孔１１５ａ、１１
６ａが長軸部１０８ｃに嵌合される。各キートップ部材１０３は、これによって第１の長手方向の外周壁部１１１ａ側を支点としてベースプレート１０１に対して片持ち状態で組み付けられる。
【００１４】
キースイッチ装置１００は、この状態において図５に示すように各キートップ部材１０３がスイッチ作動部１１４をクリックラバーシート１０２のクリックドーム１０９の頂点部に当接することにより、上方へと押し上げられる。キースイッチ装置１００は、各キートップ部材１０３が、第１の長手方向の外周壁部１１１ａをベースプレート１０１の主面と軽く接触した状態となるとともに、第２の長手方向の外周壁部１１１ｂの下端縁とベースプレート１０１の主面との間に間隙が構成される。
【００１５】
キースイッチ装置１００は、キートップ部材１０３が操作部１１０を押圧操作されることによって、このキートップ部材１０３に割り当てられた所定の信号を出力する。キートップ部材１０３は、第１の長手方向の外周壁部１１１ａ側が支持壁部１１２、１１３の各軸孔１１２ａ、１１３ａに嵌合されたスタビライザ部材１０８を介して片持ち支持されることにより、第２の長手方向の外周壁部１１１ｂ側がベースプレート１０１の主面側へと降下する。キートップ部材１０３は、図６に示すように作動部１１４がクリックドーム１０９を押し潰してメンブレンシート１０５のスイッチ部を作動する。
【００１６】
従来のキースイッチ装置においては、上述したようにキートップ部材１０３をスタビライザ部材１０８を介してベースプレート１０１に揺動自在に組み付けた基本的な構成を同様として、例えば特許文献１等に開示されている。
【特許文献１】特開平１０−２４０４０７号公報
【発明の開示】
【発明が解決しようとする課題】
【００１７】
上述した従来のキースイッチ装置１００は、ユーザが指先を手前側へとスライドさせるようにしてキートップ部材１０３の押込み操作が行われるいわゆるピアノタッチ型構造であり、指先でキートップ部材１０３を強く押し込むいわゆる打込み入力型と比較して押圧操作の負荷を軽減する。キースイッチ装置１００においては、長時間に亘って連続して使用しても、使用者に肩こりや腱鞘炎或いは目の疲れ等を引き起こすことを低減する。キースイッチ装置１００は、最近ではインターネット接続や電子メールの利用等に伴って多くの人々によってますますその使用時間も長く用いられるようになっているが、軽微な押圧力でかつ正確な入力操作を行うことが可能である。
【００１８】
しかしながら、かかるキースイッチ装置１００においては、多数個のキートップ部材１０３をそれぞれスタビライザ部材１０８を介してベースプレート１０１に組み付ける構造であることから、部品数が多くなるとともに組立工数も多くなってしまう。キースイッチ装置１００は、金属部品のベースプレート１０１やスタビライザ部材１０８を備えることで、合成樹脂製の部品との部品精度のバランスが悪くなってしまう。したがって、キースイッチ装置１００は、コストが高くなってしまうとともに、部品相互の精度のバラツキにより組立不良も多くなり歩留まりが悪くなるといった問題があった。
【００１９】
キースイッチ装置１００においては、例えばコンピュータの信号入力用のキーボード装置のように、形状や大きさを異にする多数個のキートップ部材１０３がベースプレート１０１に組み付けられる。キースイッチ装置１００においては、各キートップ部材１０３に応じて形状を異にする多数種類のスタビライザ部材１０８を用意するとともに、これらを所定のキートップ搭載領域１０４に組み付けなければならない。キースイッチ装置１００においては、このために組立工程が面倒となり、効率が悪くなるとともにキートップ部材１０３やスタビライザ部材１０８の組み間違えが生じることがあった。
【００２０】
したがって、本発明は、上述した従来の問題点を解消して、構造の簡易化と部品点数の削減及び簡易な工程による組立を可能として、コスト低減と信頼性の向上を図ったキースイッチ装置を提供することを目的とする。
【課題を解決するための手段】
【００２１】
上述した目的を達成する本発明にかかるキースイッチ装置は、ベースプレートと、クリックラバーシートと、メンブレンシートと、キートップ部材とを備える。キースイッチ装置は、ベースプレートが合成樹脂材によって一体に成形され、複数のキートップ搭載領域と、各キートップ搭載領域内にそれぞれ所定の対向間隔を以って平行に対峙して一体に立設された少なくとも一対の支軸片部と、これら支軸片部にそれぞれ主面から所定の高さ位置に互いに軸線を一致させて一体に形成された水平方向の支軸部とを有する。キースイッチ装置は、クリックラバーシートが、ベースプレートの主面上に積層され、各キートップ搭載領域に対応してクリックドームを一体に膨出形成する。キースイッチ装置は、メンブレンシートが、ベースプレートの主面上にクリックラバーシートとの間に介在して積層され、各クリックドームに対応してスイッチ部が設けられる。キースイッチ装置は、キートップ部材が、合成樹脂材によって一体に成形され、キートップ搭載領域を被覆するに足る外形形状を有しクリックラバーシートのクリックドームと相対する操作部と、この操作部の底面にベースプレート側の各支軸片部にそれぞれ対向して一体に形成された軸受け片部と、これら軸受け片部に互いに軸線を一致させかつ下縁部に開口してそれぞれ形成された略半円形の軸孔とを有する。
【００２２】
また、キースイッチ装置は、ベースプレートが各支軸片部を各キートップ搭載領域の一側部寄りの位置に一体に立設するとともに、その主面上に前記各クリックドームを各支軸片部の非立設位置に対向するようにしてクリックラバーシートを積層してなる。キースイッチ装置は、各キートップ部材が、軸孔を支軸部に相対係合することにより、操作部の底面にクリックドームを対向させてベースプレートに片持ち状態で揺動自在に支持される。
【００２３】
さらに、キースイッチ装置は、相対する各キートップ部材の操作部の底面とクリックラバーシートの各クリックドームの頂点面とが接合されてなる。キースイッチ装置は、クリックラバーシートを介してキートップ部材がベースプレートに対してより確実に位置決め状態を保持されるとともに、自由端側のブレが規制される。
【００２４】
さらにまた、キースイッチ装置は、各キートップ部材に形成された軸受け片部が、ベースプレートに形成した支軸片部の厚みとほぼ等しい間隔を以って対向するとともにそれぞれ支軸部が嵌合する互いに軸線を一致された軸孔を有する一対の立壁部から構成される。キースイッチ装置は、キートップ部材をベースプレートに組み付けた状態において、軸受け片部が支軸片部を挟み込むようにして組み合わされることによりブレの発生が抑制されてキートップ部材の動作が行われるようになる。
以上のように構成された本発明にかかるキースイッチ装置によれば、各キートップ部材がベースプレートのキートップ搭載領域において、軸受け片部を相対する支軸片部に対向位置させた状態で押し込むことにより、開口部から軸孔内に支軸部が相対係合されることによってそれぞれ組み付けられる。キースイッチ装置は、各キートップ部材が操作部をクリックラバーシートのクリックドームにより押し上げられる。キースイッチ装置は、ユーザが指先を手前側へとスライドさせるようにしてキートップ部材の押込み操作を行ういわゆるピアノタッチ型キースイッチ装置を構成する。
【発明の効果】
【００２５】
以上のように構成された本発明にかかるキースイッチ装置によれば、各キートップ部材がベースプレートに対して直接組み付けられることから部品点数と組立工数の削減が図ら
れる。キースイッチ装置によれば、キートップ部材とベースプレートとが同一レベルの部品精度を保持することが可能な合成樹脂材によって成形されることで、精度の高い組立が行われるようになる。キースイッチ装置によれば、様々な形状や大きさのキートップ部材もベースプレートに対する組立方法が同様にして行われることで、簡易な工程によって組み付けることが可能となる。したがって、キースイッチ装置によれば、ユーザに対して入力操作の負担を軽減するピアノタッチ構造を有して、コスト低減と信頼性の向上が図られる。
【発明を実施するための最良の形態】
【００２６】
以下、本発明にかかるキースイッチ装置の実施の形態として示すキースイッチ装置１について、図面を参照して詳細に説明する。キースイッチ装置１は、図１乃至図３に示すように、合成樹脂材によって成形され図示しない筐体内に組み付けられるベースプレート２と、このベースプレート２の主面上に積層状態で組み付けられるクリックラバーシート３と、ベースプレート２とクリックラバーシート３との間に組み付けられるメンブレンシート４と、多数個のキートップ部材５とを備えている。
【００２７】
ベースプレート２は、その主面上に所定の配列順序を以ってそれぞれ矩形領域からなる多数のキートップ搭載領域６が区割り形成されている。ベースプレート２には、各キートップ搭載領域６内において、一方の長手方向の側縁側に位置しかつ幅方向の側縁と平行に一体に立ち上がり形成された立壁片部からなる第１の支軸片部７と第２の支軸片部８が形成されている。第１の支軸片部７には、両側面にベースプレート２の主面から所定の高さ位置において互いに軸線を一致させた水平方向のダボからなる支軸部９ａ、９ｂ（以下、支軸部９と総称する。）が一体に形成されている。
【００２８】
第２の支軸片部８にも、両側面にベースプレート２の主面から所定の高さ位置において互いに軸線を一致させた水平方向のダボからなる支軸部１０ａ、１０ｂ（以下、支軸部１０と総称する。）が一体に形成されている。第１の支軸片部７と第２の支軸片部８は、それぞれの支軸部９、１０が互いに軸線を一致するようにして形成されている。なお、ベースプレート２は、第１の支軸片部７と第２の支軸片部８とに水平方向の支軸部９、１０を一体に形成するために、図２に示すように底面部に型抜きのための開口１１が形成されるが、この開口１１によって機械的強度が低下しないようにして形成される。
【００２９】
クリックラバーシート３は、ゴム材や合成ゴム材等の絶縁弾性材によって成形され、図１及び図２に示すようにベースプレート２の各キートップ搭載領域６に対応してそれぞれクリックドーム１２が一体に膨出形成されている。クリックドーム１２は、図２に示すように薄肉とされた外周部１３と、この外周部１３を閉塞する天井部１４とからなる全体略円筒形を呈して形成されている。クリックドーム１２は、内部空間に突出して天井部１４の内面にスイッチ作動部１５が一体に突出形成されている。なお、クリックラバーシート３には、詳細を省略するがベースプレート２に組み合わされた状態において第１の支軸片部７と第２の支軸片部８とをそれぞれ貫通させる多数の開口部が形成されている。
【００３０】
メンブレンシート４は、詳細を省略するが可撓性を有するとともに微小な対向間隔に保持された一対の絶縁シート体からなる。メンブレンシート４は、例えば一方の絶縁シート体の主面に適宜の回路パターンが形成されるとともに適宜の位置にスイッチパターンが形成され、このスイッチパターンに対向して他方の絶縁シート体の相対する主面に間隙を介してスイッチパターンが形成されてなる。メンブレンシート４は、後述するようにクリックラバーシート３側のスイッチ作動部１５によって一方の絶縁シート体を押圧することにより、相対するスイッチパターン間が短絡してスイッチングが行われる。メンブレンシート４は、薄型で比較的軽微な操作力でスイッチングを行うことが可能である。
【００３１】
なお、メンブレンシート４には、詳細を省略するがベースプレート２に組み合わされた状態において第１の支軸片部７と第２の支軸片部８とをそれぞれ貫通させる多数の開口部が形成されている。また、キースイッチ装置１は、例えばメンブレンシート４に代えて回路パターンとスイッチパターンとを適宜形成した回路基板を用いるとともに、クリックラバーシート３側のスイッチ作動部１５に導体部を設けてスイッチ構造を採用するようにしてもよい。
【００３２】
キートップ部材５は、合成樹脂材によって成形され、ベースプレート２の各キートップ搭載領域６をそれぞれ被覆するに足る外形寸法を有する矩形形状の操作部１６と、この操作部１６の外周縁に沿って全周に亘って一体に垂設された外周壁部１７からなる。キートップ部材５は、外周壁部１７が、後述するようにベースプレート２に組み付けられた状態においてユーザと対向する側に位置する第１の長手方向の外周壁部１７ａが相対する第２の長手方向の外周壁部１７ｂに対してその高さが大きくなるようにして形成されている。
【００３３】
キートップ部材５には、詳細を省略するが操作部１６の主面１６ａに文字、数字或いは機能マーク等が適宜設けられている。キートップ部材５には、図２に示すように操作部１６の底面部１６ｂに、第１の長手方向の外周壁部１７ａ側に位置しかつそれぞれ幅方向の相対する外周壁部１７ｃ、１７ｄと平行に対峙して第１の軸受け片部１８と第２の軸受け片部１９とが一体に垂設されている。第１の軸受け片部１８と第２の軸受け片部１９は、左右対称形であることから、以下第１の軸受け片部１８の構成のみを代表して説明する。
【００３４】
第１の軸受け片部１８は、詳細にはキートップ部材５がベースプレート２に組み付けられた状態において第１の支軸片部７と対応位置されるように操作部１６の底面部１６ｂに一体に形成され、この第１の支軸片部７の厚みとほぼ等しい間隔を以って対向する一対の立壁部１８ａ、１８ｂからなる。第１の軸受け片部１８には、立壁部１８ａ、１８ｂに、ベースプレート２側の各支軸部９ａ、９ｂがそれぞれ嵌合される軸孔２０ａ、２０ｂ（以下、軸孔２０と総称する。）が互いに軸線を一致されて形成されている。第１の軸受け片部１８は、軸孔２０が、その孔径を支軸部９の外径とほぼ等しくされるとともに、図２に示すようにその一部を第１の支軸片部７の下端縁に開口部２１を介して開口させて形成されている。第１の軸受け片部１８は、開口部２１が、その開口幅を支軸部９の外径よりもやや小幅に形成されている。
【００３５】
キースイッチ装置１は、ベースプレート２の主面上にメンブレンシート４が位置決めされて積層状態に組み合わされるとともに、このメンブレンシート４を挟み込むようにしてベースプレート２の主面上にクリックラバーシート３が位置決めされて積層状態に組み合わされる。キースイッチ装置１は、ベースプレート２の各キートップ搭載領域６内において、メンブレンシート４のスイッチ部がそれぞれ配置されるとともにこのスイッチ部にクリックラバーシート３のクリックドーム１２が対向する。キースイッチ装置１は、各キートップ搭載領域６内において、メンブレンシート４とクリックラバーシート３とを貫通して第１の支軸片部７と第２の支軸片部８とが突出する。
【００３６】
キースイッチ装置１は、ベースプレート２の各キートップ搭載領域６にキートップ部材５がそれぞれ組み合わされる。キースイッチ装置１は、ベースプレート２に対してキートップ部材５が、第１の支軸片部７に第１の軸受け片部１８を対向位置させかつ第２の支軸片部８に第２の軸受け片部１９を対向位置させて組み合わされる。キートップ部材５は、第１の軸受け片部１８及び第２の軸受け片部１９の立壁部１８ａ、１８ｂが、それぞれ第１の支軸片部７及び第２の支軸片部８を挟み込むようにして組み合わされる。
【００３７】
キースイッチ装置１は、ベースプレート２に対してキートップ部材５が押し込まれることによって組み付けられる。キースイッチ装置１は、ベースプレート２側の第１の支軸片
部７と第２の支軸片部８とに形成した支軸部９、１０がキートップ部材５側の第１の軸受け片部１８と第２の軸受け片部１９とにそれぞれ形成した開口部２１を介して軸孔２０内に嵌合される。キースイッチ装置１は、図２に示すように各キートップ部材５が、第１の長手方向の外周壁部１７ａ側を支点としてベースプレート２に対して片持ち状態で組み付けられる。
【００３８】
キースイッチ装置１においては、この状態において図２に示すように各キートップ部材５が操作部１６の底面部１６ｂをクリックラバーシート３のクリックドーム１２の天井部１４に当接して上方へと押し上げられた状態で保持される。キースイッチ装置１は、例えばクリックドーム１２の天井部１４に予め接着剤２２を塗布することにより、この天井部１４に対して底面部１６ｂが接合固定され、キートップ部材５の自由端側のブレが規制されるようになる。なお、キートップ部材５は、この状態において第１の長手方向の外周壁部１７ａがその下端部をベースプレート２の主面と軽く接触した状態となるとともに、第２の長手方向の外周壁部１７ｂの下端部とベースプレート２の主面との間に間隙が構成される。
【００３９】
以上のように構成されたキースイッチ装置１においては、キートップ部材５が操作部１６を押圧操作されることによって、その底面部１６ｂによってクリックラバーシート３のクリックドーム１２を押圧する。キースイッチ装置１においては、これによってクリックドーム１２が図３に示すように外周部１３が弾性変形して押し潰された状態となり、スイッチ作動部１５が相対するメンブレンシート４のスイッチ部を作動する。キースイッチ装置１においては、メンブレンシート４からキートップ部材５に割り当てられた所定の信号を出力する。
【００４０】
なお、上述したキースイッチ装置１においては、ベースプレート２の各キートップ搭載領域６に左右一対の第１の支軸片部７と第２の支軸片部８とを形成するとともに、キートップ部材５側に左右一対の第１の軸受け片部１８と第２の軸受け片部１９とを形成してこれらを組み合わせるようにしたが、例えばキートップ部材５が小さな外形である場合にはキートップ搭載領域６の中央部に支軸片部を形成するとともにキートップ部材５側に１個の軸受け片部を形成するようにしてよい。キースイッチ装置１は、例えば大型のキートップ部材５で有る場合に、このキートップ部材５とベースプレート２とに複数個の支軸片部と軸受け片部とを形成するようにしてもよい。
【図面の簡単な説明】
【００４１】
【図１】本発明の実施の形態として示すキースイッチ装置の要部平面図である。
【図２】キースイッチ装置の要部縦断面図である。
【図３】キースイッチ装置の動作状態の要部縦断面図である。
【図４】従来のキースイッチ装置の要部平面図である。
【図５】従来のキースイッチ装置の要部縦断面図である。
【図６】従来のキースイッチ装置の動作状態の要部縦断面図である。
【符号の説明】
【００４２】
１        キースイッチ装置
２        ベースプレート
３        クリックラバーシート
４        メンブレンシート
５        キートップ部材
６        キートップ搭載領域
７        支軸片部
８        支軸片部
９        支軸部
１０      支軸部
１２      クリックドーム
１４      天井部
１５      スイッチ作動部
１６      操作部
１８      第１の軸受け片部
１９      第２の軸受け片部
２０      軸孔
２１      開口部
【図１】
2005071779.tif 000003
【図２】
2005071779.tif 000004
【図３】
2005071779.tif 000005
【図４】
2005071779.tif 000006
【図５】
2005071779.tif 000007
【図６】
2005071779.tif 000008